(57)【要約】
　【課題】　副資材を詰めずに物品を容易に固定し、かつ所望の立体形状、姿勢に保持して、様々な演出を行える構造の簡単な包装用箱を提供する。
　【解決手段】　箱本体２の内側の何れかの側面６，７上に重ねて台板４を固定する。台板４の適宜箇所に紐５を挿通する複数の孔４ａを形成する。孔４ａに革紐５を通し、これを物品Ａ，Ｂ，Ｃに掛け回わし、遊動しないように結束する。箱の空隙に詰める副資材は不要である。物品の形状、大きさにより任意の孔４ａを選択して紐５を通し、物品Ａ，Ｂ，Ｃの所要位置に紐５を掛けられる。箱本体２に対して大小、形状、様々な物品に単一の構造で対応できる。物品Ａ，Ｂ，Ｃの配置、形態を自由に選択して固定できるので、贈答品として演出効果を一層高められる。
【選択図】図１
0003099681.tif 000002
【実用新案登録請求の範囲】
【請求項１】
　箱本体と、適宜箇所に紐を挿通するための複数の孔を有し、箱本体の内側の何れかの側面上に重ねて固定される台板と、この台板の前記孔に挿通され、前記箱本体内に収容される物品が遊動しないように、当該物品に掛け回されて結束される紐とを具備することを特徴とする包装用箱。
【請求項２】
　何れかの側板の適宜箇所に紐を挿通するための複数の孔を有する箱本体と、前記側板の前記孔に挿通され、前記箱本体内に収容される物品が遊動しないように、当該物品に掛け回されて結束される紐とを具備することを特徴とする包装用箱。
【請求項３】
　前記箱本体の内側面の少なくとも一部にミラーシートが貼着され、このミラーシートに前記箱本体の内側部分が映って見えることを特徴とする請求項１又は２に記載の包装用箱。
【考案の詳細な説明】
【技術分野】
【０００１】
　この考案は、ギフト商品等を包装するための箱に係り、特に物品を固定するための副資材を詰めることなく、物品を容易に固定し、かつ物品を所望の立体形状、姿勢に保持して、様々な演出を行うことができる構造の簡単な包装用箱に関する。
【背景技術】
【０００２】
　従来、ギフト商品等を包装するための箱は、当該商品の大きさに適合したサイズのものが選択され、さらに運搬時の商品の遊動、破損を防止するために、箱の空隙に副資材が詰められるのが常である。副資材は大量のゴミとなり、環境問題をひきおこすという問題点がある。ギフト商品の場合には、受け取った者の喜びや驚きを一層大きくするための様々な演出が望まれるが、従来の包装形態では、そのような演出方法は限られたものである。
【考案の開示】
【考案が解決しようとする課題】
【０００３】
　この考案は、物品を固定するための副資材を詰めることなく、物品を容易に固定し、かつ物品を所望の立体形状、姿勢に保持して、様々な演出を行うことができる構造の簡単な包装用箱を提供することを目的とする。
【課題を解決するための手段】
【０００４】
　上記課題を解決するため、この考案においては、箱本体２の内側の何れかの側面６，７上に重ねて台板４を固定する。この台板４には、適宜箇所に紐５を挿通するための複数の孔４ａを形成する。この台板４の孔４ａに革紐のような紐５を挿通し、これを箱本体２内に収容される物品Ａ，Ｂ，Ｃに掛け回わし、物品が遊動しないように結束する。
　またこの考案においては、箱本体２の何れかの側板６，７それ自体の適宜箇所に紐を挿通するための複数の孔６ａ，７ａを形成するように構成することができる。
　箱本体２の内側面の少なくとも一部に、ミラーシートを貼着すれば、このミラーシートに商品Ａ，Ｂ，Ｃや箱本体２の内側の模様等が映って美麗であり、一層演出効果を高める。
【考案の効果】
【０００５】
　この考案においては、箱本体２の内側の何れかの側面６，７上に重ねて固定された台板４の孔４ａ、あるいは箱本体２の側板６，７に形成された孔６ａ，７ａに革紐５のような紐を挿通し、これを箱本体２内に収容される物品Ａ，Ｂ，Ｃに掛け回わし、物品が遊動しないように結束するから、箱の空隙に詰める副資材は不要であり、廃棄物を減少させることができる。また、収容する物品の形状、大きさにより任意の孔４ａを選択して、これに紐５を通し、物品Ａ，Ｂ，Ｃの所要位置に紐５を掛け回すことができるから、箱本体２に対して大きな物品から小さな物品まで、またあらゆる形状の物品に単一の構造のもので対応することができる。さらに、収容する物品Ａ，Ｂ，Ｃの配置、形態を自由に選択して固定することができるので、贈答品として受け取った者に感動を与える演出効果を一層高めることができる。
【考案を実施するための最良の形態】
【０００６】
　図面を参照してこの考案の実施の形態を説明する。図１はこの考案に係る包装用箱の分解斜視図、図２はこの考案に係る包装用箱に物品を収容する状態の分解斜視図、図３は物品を固定した台板を裏面から見た平面図、図４はこの考案に係る包装用箱に物品を収容した状態の平面図、図５はこの考案の他の実施形態の斜視図である。
【０００７】
　図において、包装用箱１は、箱本体２と、ふた３と、台板４と、革紐５とを具備する。箱本体２の４つの側板６の内側面には、鏡面を形成するミラーシートが貼着されている。台板４は、革紐５を挿通させるための複数の挿通孔４ａを備えると共に、周縁に起立片４ｂを備え、箱本体２の底板７の内側面に所定の間隔をおいて固定される。
【０００８】
　ギフト商品のような物品Ａ，Ｂ，Ｃを包装する場合には、台板４を箱本体２から取り外した状態で、それぞれの物品の配置と形態とを考え、台板４上に置く。台板４上に置かれた物品Ａ，Ｂ，Ｃの形態に応じて固定箇所を決定し、所要の挿通孔４ａを選択し、これに革紐５を通し、物品Ａ，Ｂ，Ｃに掛け回して台板４の裏面で結束する。このようにして物品Ａ，Ｂ，Ｃを台板４に固定したら、台板４と共に箱本体２内に収容する。台板４は容易に箱本体の底部から浮き上がらないように、適宜の手段で固定する。なお、台板４は、箱本体２の側板６の内側に固定してもよい。
【０００９】
　物品Ａ，Ｂ，Ｃを台板４で底部に結びつけて固定するから、物品の容量に比べてかなり大きな箱でも空隙を埋める副資材を使用せずに用いることができる。この固定方法により、物品Ａ，Ｂ，Ｃを立体的に見せることができ、包装箱を単なる容器としてのみでなく、固定した物品の立体的配置によるアートの額縁として機能させることができる。側板６の内側面が鏡面となっていれば、台板４の図形、模様等を映して立体的に見せることができ、一層芸術的効果が高められる。以上のように、贈答品包装の演出の幅が広がり、包装する物品の贈答品としての価値を高めることができ、受け取る者に驚きや感激を与えることができる。
【００１０】
　図５に示すこの考案の他の実施形態においては、台板を用いず、箱本体２の側板６、底板７自体に挿通孔６ａ，７ａを形成した。
【産業上の利用可能性】
【００１１】
　この考案の包装用箱は、商店等において顧客の贈答品を包装する際に用いて特に効果的である。
【図面の簡単な説明】
【００１２】
【図１】この考案に係る包装用箱の分解斜視図である。
【図２】この考案に係る包装用箱に物品を収容する状態の分解斜視図である。
【図３】物品を固定した台板を裏面から見た平面図である。
【図４】この考案に係る包装用箱に物品を収容した状態の平面図である。
【図５】この考案の他の実施形態の斜視図である。
【符号の説明】
【００１３】
１　　包装用箱
２　　箱本体
３　　ふた
４　　台板
４ａ　挿通孔
５　　革紐
６　　側板
６ａ　挿通孔
７　　底板（側板）
Ａ，Ｂ，Ｃ　物品
【図１】
0003099681.tif 000003
【図２】
0003099681.tif 000004
【図３】
0003099681.tif 000005
【図４】
0003099681.tif 000006
【図５】
0003099681.tif 000007